(57)【特許請求の範囲】
【請求項１】
ＩＤ番号を有する非接触式の電子媒体からの発信情報を受信するアンテナ部と、このアンテナ部を介して前記電子媒体のデータを読み取る読取部と、現金を払い出すホッパと、前記ＩＤ番号を管理する上位のコンピュータと通信する通信部と、前記各部を制御する制御部とを備え、前記電子媒体が前記アンテナ部の交信範囲に接近すると前記ＩＤ番号を読み取り、このＩＤ番号と所定の立替金額とを前記コンピュータに送信するとともに、送信した前記ＩＤ番号から現金払出の可否を前記コンピュータに判定させ、このコンピュータから払出許可信号があれば前記立替金額の現金を前記ホッパから払い出すことを特徴とする現金立替機。
【請求項２】
施設入場時にＩＤ番号を有する非接触式の電子媒体を入手し、この電子媒体を用いて場内の施設を利用し、又は物品の購入を行ない、退場時に料金又は代金の精算を行なう公衆施設において、請求項１に記載の現金立替機を設置したことを特徴とする公衆施設。
【発明の詳細な説明】
【０００１】
【発明の属する技術分野】
この発明は、非接触式の電子媒体を用いて施設を利用したり、物品を購入したりする入浴保養施設やアミューズセンタなどの公衆施設における料・代金の精算手段に関する。
【０００２】
【従来の技術】
上記したような公衆施設では、客の入場時にＩＤ番号を入れた非接触式の電子媒体（以下、非接触タグと呼ぶ。）を販売あるいは貸し出し、場内のレストランや売店の利用の際に、この非接触タグを端末機のアンテナ部に接近させ、読み取ったＩＤ番号を料金や代金（以下、単に料金という。）の金額と一緒にＬＡＮなどのネットワークを通じて上位のコンピュータに送信・蓄積し、退場時に一括精算するシステムを採用しているものがある。
【０００３】
【発明が解決しようとする課題】
このような施設内では、現金を取り扱わないことが原則であるが、大小のサービス機器にすべて非接触タグの読み取り端末を備えることはコスト的に無理があり、一部の機器は現金投入式とせざるを得ない場合がある。その場合、客に現金を予め用意してもらうことになるが、例えば浴場などでは現金を身につけることが困難で、客に不便を強いることになっていた。
そこで、この発明の課題は、非接触タグによる料金精算システムを採用しながら現金サービス機器を備えた公衆施設において、この機器の利用を簡便にすることにある。
【０００４】
【課題を解決するための手段】
この発明は、非接触タグにより開放する現金立替機を施設内に設置し、客の希望に応じて現金を払い出すようにして、客が現金を予め用意して持ち歩かなくても現金サービス機器を利用できるようにするものである。この立替金は、退場時に他の利用料金と一緒に精算する。すなわち、この発明の現金立替機は、ＩＤ番号を有する非接触式の電子媒体からの発信情報を受信するアンテナ部と、このアンテナ部を介して前記電子媒体のデータを読み取る読取部と、現金を払い出すホッパと、前記ＩＤ番号を管理する上位のコンピュータと通信する通信部と、前記各部を制御する制御部とを備え、前記電子媒体が前記アンテナ部の交信範囲に接近すると前記ＩＤ番号を読み取り、このＩＤ番号と所定の立替金額とを前記コンピュータに送信するとともに、送信した前記ＩＤ番号から現金払出の可否を前記コンピュータに判定させ、このコンピュータから払出許可信号があれば前記立替金額の現金を前記ホッパから払い出すものである（請求項１）。
【０００５】
次に、この発明の公衆施設は、施設入場時にＩＤ番号を有する非接触式の電子
媒体を入手し、この電子媒体を用いて場内の施設を利用し、又は物品の購入を行
ない、退場時に料金又は代金の精算を行なう公衆施設において、請求項１に記載の現金立替機を設置するものとする（請求項２）。
【０００６】
【発明の実施の形態】
以下、図１〜図５に基づいて、例えば公衆浴場におけるこの発明の実施の形態を説明する。まず、図１は、現金立替機の構成を示すブロック図である。図１において、１はＩＤ番号を有する非接触タグ、２は非接触タグ１からの発信情報を受信するアンテナ部、３はアンテナ部２を介して非接触タグ１のデータを読み取る読取部、４は現金（今の場合はコイン）を払い出すホッパ、５は立替金額などのデータを記憶するメモリ部、６は立替金額などを表示する表示部、７は非接触タグ１のＩＤ番号を管理する上位のコンピュータ８とＬＡＮなどのネットを通じて通信する通信部、９は各部３〜７を制御する制御部である。
【０００７】
図２は、非接触タグ１のフォーマットを示すもので、ＩＤ番号の他に、例えば大人・子供の別、男女別、ロッカー番号、施設の利用範囲などのデータが記録されている。非接触タグ１は客の入場時に有料で貸し出され、貸し出し中の非接触タグ１のＩＤ番号は有効であるとして、その他の上記データとともにコンピュータ８で管理されている。非接触タグ１はリストバンド形で、客の手首に巻き付けられるなどして携帯される。場内の各施設には、非接触タグ１と交信する端末機が設備されており、客は施設の利用や物品の購入に際して、端末機のアンテナ部に自分で、あるいは係員を通して非接触タグ１を接近させ、その情報を読み取らせる。非接触タグ１のＩＤ番号や施設の料金はその都度、コンピュータ８に送信・蓄積され、退場時に料金の精算が行なわれる。
【０００８】
ところが、場内には非接触タグ１を用いず、現金（コイン）を投入して利用する、例えばマッサージ機のような現金サービス機器があり、このような機器を利用する場合にはコインを必要とする。そこで、場内に図１に示した現金立替機が設置され、客はアンテナ部２に非接触タグ１を接近させることによりコインの払出しを受ける。コインの立て替えの際には、非接触タグ１のＩＤ番号から、コンピュータ８で払出しの可否が判定され、判定結果が現金立替機に送信される。現金立替機はこの判定結果に基づいてコインを払い出し、あるいは払い出しを停止する。図３は、判定結果の送信フォーマットを示すもので、該当するＩＤ番号や後述するような払い出し判定フラグの他、払い出し金額、それまでの払い出し状況などデータが含まれている。立替金額はＩＤ番号とともにコンピュータ８に蓄積され、退場時に施設の利用料金などと一緒に精算される。
【０００９】
図４は、図１の現金立替機によるコイン払い出し処理を示すフローチャートである。図１及び図４において、制御部９はアンテナ部２を介して非接触タグ１を検知すると（Ｓ１）、読込部３でＩＤ番号を読み取り（Ｓ２）、コンピュータ８との間で通信処理を行なう（Ｓ３）．この通信処理は、ＩＤ番号を通信部７からコンピュータ８に送信して払出しの可否の判定を求め、その結果を受信するものである。コンピュータ８は、ＩＤ番号を受信すると、その有効／無効、立替金額の累計が上限金額以下か、利用者が大人か子供などの管理記録から払出しの可否を判定し、判定結果を例えば、払出し可能：00, 払出し不可：10（ＩＤ無効）,11（上限金額超過）,12（子供立替禁止）などの判定フラグにより現金立替機に送信する。現金立替機の制御部９は、この判定フラグから判定結果を解釈し（Ｓ４）、払出し可能の場合には、表示部６に金額を表示して（Ｓ５）、定額のコイン（例えば１００円）をホッパ４から払出して処理を終了する（Ｓ６）。なお、ＩＤ番号別の立替金額はコンピュータ８に記憶されるが、現金立替機のメモリ部５にもバックアップデータとして記憶される。一方、Ｓ４において、払出し不可の場合には、表示部６に立替不可の旨及びその理由を表示し（Ｓ７）、払出し停止処理をして終了する（Ｓ８）。
【００１０】
図５は、この発明の異なる実施の形態を示すフローチャートである。この実施の形態においては、図１に鎖線で示したように、立替金額の希望額を入力させる金額ボタン１０と、立替金額の払出を確認する確認ボタン１１とが新たに設けられている。そこで、図５において、制御部７はアンテナ部２を介して非接触タグ１を検知すると（Ｓ１）、読込部３でＩＤ番号を読み取り、同時に制御部９に内蔵する図示しないタイマをスタートさせる（Ｓ２）。次いで、表示部６に案内表示を行ない、金額ボタン１０からの立替希望額の入力を促す（Ｓ３）。金額ボタン１０は、異なる設定金額が予め表示された定額ボタンが複数個、例えば１００円、２００円、３００円の３個の定額ボタンが設けられ、その中から希望額を選択して押すようになっている。Ｓ４で金額ボタン１０が押されず、一定時間、例えば１０秒のタイマ設定時間がタイムアップすると、払出し処理を中止して待機状態に復帰させる（Ｓ９）。
【００１１】
Ｓ４で金額ボタンの入力があれば、表示部６に立替金額を表示し（Ｓ５）、確認ボタン１１の入力を待つ（Ｓ６）。Ｓ６で確認ボタン１１が押されず、一定時間、例えば１０秒のタイマ設定時間がタイムアップしたら、払出し処理を中止して待機状態に復帰させる（Ｓ１０）。Ｓ６で確認ボタン１１の入力があれば、コンピュータ８への通信処理を行ない（Ｓ７）、希望額のコインをホッパ４から払出して処理を終了する（Ｓ８）。Ｓ７の通信処理は、ＩＤ番号及び立替金額を通信部７からコンピュータ８に送信するものである。なお、図５では省略してあるが図４のフローチャートと同様に、Ｓ７でコンピュータに払出しの可否の判定を求め、その結果を受信して払出し可能であればＳ８で払出しを行ない、払出し不可であれば待機状態に復帰させることももちろん可能である。送信された立替金額はコンピュータ８に蓄積され、退場時に他の利用料金と一緒に精算される。
【００１２】
【発明の効果】
以上の通り、この発明によれば、非接触タグを用いて現金を借りられるので、現金を持ち歩く必要がなく、公衆浴場のような現金の携帯が困難な公衆施設にけるコインサービス機器利用の利便性が大幅に向上する。
【図面の簡単な説明】
【図１】この発明の実施の形態を示す現金立替機のブロック構成図である。
【図２】図１の現金立替機に用いる非接触式電子媒体のフォーマットを示す図である。
【図３】図１の現金立替機に対するコンピュータからの通信フォーマットを示す図である。
【図４】図１の現金立替機の動作を示すフローチャートである。
【図５】図１の現金立替機の異なる動作を示すフローチャートである。
【符号の説明】
１    非接触式の電子媒体
２    アンテナ部
３    読取部
４    ホッパ
５    メモリ部
６    表示部
７    通信部
８    コンピュータ
９    制御部
１０    金額ボタン
１１    確認ボタン
【図１】
0004483135.tif 000002
【図２】
0004483135.tif 000003
【図３】
0004483135.tif 000004
【図４】
0004483135.tif 000005
【図５】
0004483135.tif 000006